(57)【要約】【課題】便器部又は手洗部と仮設トイレ本体部とを迅速かつ容易に付け替えることができる着脱固定具及びこれを備える仮設トイレを提供すること。【解決手段】仮設トイレ１の便器部３Ａ又は手洗部を一方向にスライドさせて仮設トイレ本体部２に着脱可能に固定する着脱固定具１０であって、前記便器部３Ａ又は前記手洗部に取り付けられる着脱側固定部と、前記仮設トイレ本体部２に取り付けられる本体側固定部とを備えており、前記着脱側固定部は、前記一方向に交差する方向に矩形状に没入する矩形凹部を備え、前記本体側固定部は、前記交差する方向に矩形状に突出し、かつ前記矩形凹部に嵌合される矩形凸部を備えることを特徴とする。【選択図】図２
0003196485.tif 000002
【実用新案登録請求の範囲】
【請求項１】
仮設トイレの便器部又は手洗部を一方向にスライドさせて仮設トイレ本体部に着脱可能に固定する着脱固定具であって、
前記便器部又は前記手洗部に取り付けられる着脱側固定部と、
前記仮設トイレ本体部に取り付けられる本体側固定部とを備えており、
前記着脱側固定部は、
前記一方向に交差する方向に矩形状に没入する矩形凹部を備え、
前記本体側固定部は、
前記交差する方向に矩形状に突出し、かつ前記矩形凹部に嵌合される矩形凸部を備えることを特徴とする着脱固定具。
【請求項２】
前記矩形凹部は、
前記交差する方向に延ばされた着脱側平坦面と、前記着脱側平坦面から前記一方向と反対方向に延ばされた内底面と、前記内底面から前記着脱側平坦面に反って折り返された着脱側天面とによって形成され、
前記矩形凸部は、
前記交差する方向に延ばされた本体側平坦面と、前記本体側平坦面から前記反対方向に延ばされた嵌合面と、前記嵌合面から前記本体側平坦面に反って折り返された本体側天面とによって形成され、
前記交差する方向における前記本体側天面の長さ寸法が、前記交差する方向における前記着脱側天面の長さ寸法より大きくなっていることを特徴とする請求項１に記載の着脱固定具。
【請求項３】
前記内底面に貫通孔が設けられており、前記貫通孔を通して前記便器部又は前記手洗部に取り付けネジが止められるようになっていることを特徴とする請求項２に記載の着脱固定具。
【請求項４】
前記着脱側固定部は、
前記交差する方向に突出し、かつ外壁部が前記本体側固定部に対して傾斜面とされた傾斜突起部を備え、
前記本体側固定部は、
前記交差する方向に没入し、かつ前記傾斜面を経て前記傾斜突起部が嵌合される嵌合凹部を備えることを特徴とする請求項１から請求項３のいずれか一項に記載の着脱固定具。
【請求項５】
前記外壁部のうち、前記傾斜面と対向する側の外壁部が前記着脱側平坦面とされ、
前記嵌合凹部の内壁部のうち、前記着脱側固定部側に配された内壁部が前記本体側平坦面とされていることを特徴とする請求項２に従属する請求項４、又は請求項３に従属する請求項４に記載の着脱固定具。
【請求項６】
前記傾斜突起部及び前記嵌合凹部が、三角形状に形成されていることを特徴とする請求項５に記載の着脱固定具。
【請求項７】
前記本体側固定部は、
前記嵌合凹部から前記交差する方向に延ばされた取り付け本体面を備え、
前記取り付け本体面には、
前記交差する方向に延ばされた孔が設けられており、前記孔を通して前記仮設トイレ本体部に取り付けネジが止められるようになっていることを特徴とする請求項４から請求項６のいずれか一項に記載の着脱固定具。
【請求項８】
前記着脱側固定部は、
前記本体側固定部に対するスライドを案内する対をなす案内壁部を備えることを特徴とする請求項１から請求項７のいずれか一項に記載の着脱固定具。
【請求項９】
請求項１から請求項８のいずれか一項に記載の着脱固定具と、
前記便器部又は前記手洗部と、
前記仮設トイレ本体部とを備えることを特徴とする仮設トイレ。
【請求項１０】
前記仮設トイレ本体部は、
床面に設置される給水タンクを備え、
前記本体側固定部は、前記給水タンクの上面に取り付けられ、
前記着脱側固定部は、前記便器部又は前記手洗部の側部に取り付けられることを特徴とする請求項９に記載の仮設トイレ。
【考案の詳細な説明】
【技術分野】
【０００１】
本考案は、便器部又は手洗部と仮設トイレ本体部とを着脱可能に固定する着脱固定具及びこれを備える仮設トイレに関する。
【背景技術】
【０００２】
従来、工事現場や野外イベント会場、災害発生時の避難所等において種々の仮設トイレが利用されている（例えば、特許文献１）。
このような仮設トイレは、設置場所において、便器部と仮設トイレ本体部とが外れないように作業員により強固に固定されて設置されるようになっている。
ここで、仮設トイレは、そもそも必要に応じて一時的に設置されるものであり、設置状況や設置時間、設置時期、イベント内容などによって、便器部や手洗部などの種類を変えて設置することが要請される。
【先行技術文献】
【特許文献】
【０００３】
【特許文献１】特開２００７−４００７１号公報
【考案の概要】
【考案が解決しようとする課題】
【０００４】
しかしながら、上記のような仮設トイレでは、便器部と仮設トイレ本体部とを強固に固定することが前提となっており、設置状況などに応じて必要な便器部などを付け替える付け替え作業に時間がかかってしまうという問題がある。
【０００５】
本考案は、このような問題を解決するためになされたものであり、便器部又は手洗部と仮設トイレ本体部とを迅速かつ容易に付け替えることができる着脱固定具及びこれを備える仮設トイレを提供することを目的とする。
【課題を解決するための手段】
【０００６】
上記課題を解決するために、本考案は以下の手段を提供する。
本考案は、仮設トイレの便器部又は手洗部を一方向にスライドさせて仮設トイレ本体部に着脱可能に固定する着脱固定具であって、前記便器部又は前記手洗部に取り付けられる着脱側固定部と、前記仮設トイレ本体部に取り付けられる本体側固定部とを備えており、前記着脱側固定部は、前記一方向に交差する方向に矩形状に没入する矩形凹部を備え、前記本体側固定部は、前記交差する方向に矩形状に突出し、かつ前記矩形凹部に嵌合される矩形凸部を備えるものである。
【０００７】
この考案によれば、矩形凹部と矩形凸部とを嵌合し解除することにより、便器部又は手洗部を仮設トイレ本体部に容易に着脱することができる。
【０００８】
また、前記矩形凹部は、前記交差する方向に延ばされた着脱側平坦面と、前記着脱側平坦面から前記一方向と反対方向に延ばされた内底面と、前記内底面から前記着脱側平坦面に反って折り返された着脱側天面とによって形成され、前記矩形凸部は、前記交差する方向に延ばされた本体側平坦面と、前記本体側平坦面から前記反対方向に延ばされた嵌合面と、前記嵌合面から前記本体側平坦面に反って折り返された本体側天面とによって形成され、前記交差する方向における前記本体側天面の長さ寸法が、前記交差する方向における前記着脱側天面の長さ寸法より大きくなっていてもよい。
【０００９】
この考案によれば、矩形凹部と矩形凸部とが嵌合されたとき、本体側天面を着脱側天面に対して交差する方向に突出させることができる。そのため、本体側天面を手で一方向に押すだけで、矩形凹部と矩形凸部との嵌合を容易に外すことができる。
【００１０】
また、前記内底面に貫通孔が設けられており、前記貫通孔を通して前記便器部又は前記手洗部に取り付けネジが止められるようになっていてもよい。
【００１１】
この考案によれば、着脱側固定部を便器部又は手洗部に容易に取り付けることができる。
【００１２】
また、前記着脱側固定部は、前記交差する方向に突出し、かつ外壁部が前記本体側固定部に対して傾斜面とされた傾斜突起部を備え、前記本体側固定部は、前記交差する方向に没入し、かつ前記傾斜面を経て前記傾斜突起部が嵌合される嵌合凹部を備えていてもよい。
【００１３】
この考案によれば、着脱側固定部を一方向にスライドさせるという簡易な動作だけで、着脱側固定部と本体側固定部とを容易に固定することができ、便器部又は手洗部を仮設トイレ本体部に容易に固定することができる。
一方、傾斜突起部と嵌合凹部との嵌合を外すだけで、着脱側固定部と本体側固定部との固定を容易に解除することができ、便器部又は手洗部を仮設トイレ本体部から容易に取り外すことができる。
【００１４】
また、前記外壁部のうち、前記傾斜面と対向する側の外壁部が前記着脱側平坦面とされ、前記嵌合凹部の内壁部のうち、前記着脱側固定部側に配された内壁部が前記本体側平坦面とされていてもよい。
【００１５】
この考案によれば、傾斜突起部と嵌合凹部とが嵌合されたとき、着脱側平坦面と本体側平坦面を面接触させることができ、傾斜突起部と嵌合凹部との嵌合を保持することができる。
【００１６】
また、前記傾斜突起部及び前記嵌合凹部が、三角形状に形成されていてもよい。
【００１７】
この考案によれば、傾斜突起部と嵌合凹部とを容易に嵌合させることができる。
【００１８】
また、前記本体側固定部は、前記嵌合凹部から前記交差する方向に延ばされた取り付け本体面を備え、前記取り付け本体面には、前記交差する方向に延ばされた孔が設けられており、前記孔を通して前記仮設トイレ本体部に取り付けネジが止められるようになっていてもよい。
【００１９】
この考案によれば、本体側固定部を仮設トイレ本体部に容易に取り付けることができる。
【００２０】
また、前記着脱側固定部は、前記本体側固定部に対するスライドを案内する対をなす案内壁部を備えていてもよい。
【００２１】
この考案によれば、便器部又は手洗部と仮設トイレ本体部とを迅速かつ容易に付け替えることができる。
【００２２】
また、請求項１から請求項８のいずれか一項に記載の着脱固定具と、前記便器部又は前記手洗部と、前記仮設トイレ本体部とを備えていてもよい。
【００２３】
この考案によれば、請求項１から請求項８のいずれか一項に記載の着脱固定具と同様の効果を奏することができるだけでなく、仮設トイレの利便性を向上させることができる。
【００２４】
また、前記仮設トイレ本体部は、床面に設置される給水タンクを備え、前記本体側固定部は、前記給水タンクの上面に取り付けられ、前記着脱側固定部は、前記便器部又は前記手洗部の側部に取り付けられていてもよい。
【００２５】
この考案によれば、迅速かつ確実に便器部又は手洗部を付け替えることができる。
【考案の効果】
【００２６】
本考案によれば、便器部又は手洗部と仮設トイレ本体部とを迅速かつ容易に付け替えることができる。
【図面の簡単な説明】
【００２７】
【図１】本考案の実施形態としての仮設トイレを示す斜視図である。
【図２】図１の正面部、側面部、天面部及び矩形基板部を除いた様子を示す斜視図である。
【図３】図２において、洋式便器と小便器を付け替える様子を示す説明図である。
【図４】図２の洋式便器を取り外して、小便器を固定した様子を示す斜視図である。
【図５】着脱固定具を示す斜視図である。
【図６】図２の洋式便器と給水タンクとが着脱可能に固定された様子を示す説明図である。
【図７】図６の符号Ｒで示す領域を拡大して示す説明図である。
【図８】着脱側固定部を本体側固定部に対して一方向にスライドさせる様子を示す説明図である。
【図９】図８の着脱側固定部をさらにスライドさせて、傾斜突起部が傾斜面部に案内されて押し上げられる様子を示す説明図である。
【図１０】本体側天面部を押下して、着脱側固定部と本体側固定部との固定を解除する様子を示す説明図である。
【図１１】小便器を給水タンクに固定したときの背面側の様子を示す斜視図である。
【図１２】着脱固定具を示す正面図であって、着脱側固定部と本体側固定部とが連結された様子を示す正面図である。
【図１３】着脱固定具を示す背面図であって、着脱側固定部と本体側固定部とが連結された様子を示す背面図である。
【図１４】着脱固定具を示す平面図であって、着脱側固定部と本体側固定部とが連結された様子を示す平面図である。
【図１５】着脱固定具を示す底面図であって、着脱側固定部と本体側固定部とが連結された様子を示す底面図である。
【図１６】着脱固定具を示す右側面図であって、着脱側固定部と本体側固定部とが連結された様子を示す右側面図である。
【図１７】着脱固定具を示す左側面図であって、着脱側固定部と本体側固定部とが連結された様子を示す左側面図である。
【図１８】図１２のＥ−Ｅ線断面図である。
【図１９】着脱固定具を示す斜視図であって、着脱側固定部と本体側固定部とが連結された様子を示す斜視図である。
【図２０】着脱側固定部を示す正面図である。
【図２１】着脱側固定部を示す背面図である。
【図２２】着脱側固定部を示す平面図である。
【図２３】着脱側固定部を示す底面図である。
【図２４】着脱側固定部を示す右側面図である。
【図２５】着脱側固定部を示す左側面図である。
【図２６】図２０のＡ−Ａ線断面図である。
【図２７】図２０のＢ−Ｂ線断面図である。
【図２８】本体側固定部を示す正面図である。
【図２９】本体側固定部を示す背面図である。
【図３０】本体側固定部を示す平面図である。
【図３１】本体側固定部を示す底面図である。
【図３２】本体側固定部を示す右側面図である。
【図３３】本体側固定部を示す左側面図である。
【図３４】図２８のＣ−Ｃ線断面図である。
【図３５】図３１のＤ−Ｄ線断面図である。
【考案を実施するための形態】
【００２８】
（実施形態）
以下、本考案の実施形態における仮設トイレ及び着脱固定具について説明する。
図１及び図２は、仮設トイレ１及び着脱固定具１０を示す斜視図である。
なお、符号Ｈは、仮設トイレ１の高さ方向を示すものであり、符号Ｗは、仮設トイレ１の幅方向を示すものである。さらに、符号Ｄは、仮設トイレ１の奥行方向を示すものである。
仮設トイレ１は、仮設トイレ本体部２と、洋式便器３Ａと、これら仮設トイレ本体部２と洋式便器（便器部）３Ａとを着脱可能に固定する着脱固定具１０とを備えている。
仮設トイレ本体部２は、矩形状の矩形基盤部２２と、直方体形状の矩形壁部２１と、矩形壁部２１内に設けられる給水タンク２３とを備えている。
矩形基盤部２２内には、洋式便器３Ａから排出された汚物などを溜める不図示の便槽が設けられている。そして、矩形基盤部２２は、矩形状の下面部２２ｂを備えており、この下面部２２ｂが現場の地面等に載置されるようになっている。また、矩形基盤部２２は、矩形状で平坦な上面部２２ａを備えている。上面部２２ａには、矩形壁部２１が載置されるようになっている。
【００２９】
矩形壁部２１は、正面部２１ａと、この正面部２１ａに対向配置された背面部２１ｃと、これら正面部２１ａと背面部２１ｃとに隣り合う一対の側面部２１ｂとを備えている。
また、矩形壁部２１は、上方に配置された天面部２１ｄと、この天面部２１ｄに対向配置された床面部２１ｅとを備えている。
正面部２１ａは、開閉可能に設けられたドア部２１１ａを備えている。このドア部２１１ａには、取手部２１２ａが設けられている。そして、利用者が取手部２１２ａを把持して押したり引いたりすることにより、ドア部２１１ａが開閉するようになっている。
【００３０】
床面部２１ｅの床面２１１ｅは、矩形平坦面とされており、この床面２１１ｅの奥行方向Ｄの奥側に給水タンク２３が設けられている。
給水タンク２３は、内部に水を溜めることにより、洋式便器３Ａに対して水を供給するようになっている。
この給水タンク２３は、幅方向Ｗに延ばされたタンク本体部２３ｂを備えている。このタンク本体部２３ｂの幅方向Ｗの両端には、奥行方向Ｄに延びる一対の側部２３ａが設けられている。側部２３ａは、床面２１１ｅの奥行方向Ｄの全長に対して、奥側から手前側にかけて半分の位置まで延ばされている。すなわち、床面２１１ｅの奥行方向Ｄの手前側は、利用者が洋式便器３Ａを利用するための開放空間とされている。
これらタンク本体部２３ｂと側部２３ａとは、一体に設けられており、平面視してコ字状に配置されている。タンク本体部２３ｂの上面２３１ｂ及び側部２３ａの上面２３１ａは、面一かつ一体に延ばされて、平面視してコ字状に形成されている。
【００３１】
側部２３ａの手前側の壁部は、下方から上方に向かって奥行方向Ｄの長さ寸法が漸次小さくなるように傾斜面２３２ａとされている。これにより、利用者の利用スペースを確保しつつ、給水タンク２３内の貯水量を大きくすることができる。また、傾斜面２３２ａとされることにより、着脱固定具１０を介して給水タンク２３にかかる負荷を分散することができ、耐久性を向上させることができる。
また、一対の側部２３ａのうち、正面から見て右側に配置された側部２３ａの上面２３１ａには、給水レバー２３３ａが設けられている。この給水レバー２３３ａを操作することにより、給水タンク２３内に溜められた水が、不図示のポンプによって洋式便器３Ａに送り出されるようになっている。
【００３２】
洋式便器３Ａは、床面２１１ｅのうち、幅方向Ｗの中央であって、奥行方向Ｄの中央からやや奥側に設置されるようになっている。すなわち、洋式便器３Ａは、給水タンク２３のコ字状の凹部内に設置され、側方と背後が給水タンク２３によって囲まれるようになっている。
ここで、仮設トイレ１は、必要に応じて一時的に設置されるものであり、その状況によって、洋式便器３Ａではなく、男性用の小便器を設置したいという場合がある。本実施形態における仮設トイレ１は、図３及び図４に示すように、洋式便器３Ａを取り外して、この洋式便器３Ａに代えて小便器（便器部）３Ｂを設置することができるようになっている。
なお、図３に示すように、床面２１１ｅのうち、幅方向Ｗの中央であって、奥行方向Ｄの中央からやや奥側には、排水用のフラッパー台座２１２ｅが設けられている。このフラッパー台座２１２ｅには、フラッパー２１３ｅが設けられている。フラッパー２１３ｅは、開閉可能なフタ２１４ｅを備えている。このフタ２１４ｅは、汚物などが流れてくるとその重さによって開口部を空けて汚物を流し、汚物が流れ落ちると、不図示の錘によって開口部を閉めるようになっている。これにより、洋式便器３Ａを取り外したときに、フタ２１４ｅによって臭気が漏れることを防止することができる。
【００３３】
図５は、着脱固定具１０を示す斜視図である。
なお、符号Ｗ，Ｄ，Ｈは、図１と同様に、仮設トイレ１の幅方向、奥行方向及び高さ方向を示している。
着脱固定具１０は、洋式便器３Ａ及び小便器３Ｂに取り付けられる着脱側固定部１１と、給水タンク２３に取り付けられる本体側固定部１２とを備えている。
着脱側固定部１１及び本体側固定部１２は、金属板からなり、それぞれ一体に形成されている。そして、着脱側固定部１１を本体側固定部１２に対して接近する方向にスライドさせることにより、着脱側固定部１１と本体側固定部１２とが着脱可能に固定されるようになっている。
着脱側固定部１１の両主面のうち、洋式便器３Ａ及び小便器３Ｂに取り付けられる面を裏面１１Ｂとし、その反対面を表面１１Ａとする。また、本体側固定部１２の両主面のうち、給水タンク２３に取り付けられる面を裏面１２Ｂとし、その反対面を表面１２Ａとする。
【００３４】
なお、着脱側固定部１１が本体側固定部１２に対して接近する方向が、下方向Ｈｄ（一方向）となる。また、着脱側固定部１１が本体側固定部１２に対して離隔する方向は、上方向Ｈｕ、一方向と反対方向）となる。これら下方向Ｈｄ及び上方向Ｈｕが、高さ方向Ｈとなる。
また、高さ方向Ｈに交差する方向のうち、着脱固定具１０の厚さ方向が幅方向Ｗとなり、着脱固定具１０の延在方向が奥行方向Ｄとなる。
【００３５】
着脱側固定部１１は、奥行方向Ｄに延びる着脱側基板部１１ａを備えている。着脱側基板部１１ａは、矩形板状に形成されている。この着脱側基板部１１ａの長手方向（奥行方向Ｄ）の中央には、円形の取付孔１１ｃが形成されている。
また、着脱側基板部１１ａの長手方向の両端には、表面１１Ａ側において幅方向Ｗ（着脱側基板部１１ａの厚さ方向）に垂直に立ち上げられた一対の案内壁部１１ｂが設けられている。これら一対の案内壁部１１ｂは、矩形板状に形成されている。
一対の案内壁部１１ｂの間における奥行方向Ｄの長さ寸法ｄ１は、本体側固定部１２における奥行方向Ｄの長さ寸法ｄ２と、所定のクリアランスを介してほぼ同一になっている。すなわち、案内壁部１１ｂは、着脱側固定部１１と本体側固定部１２との高さ方向Ｈのスライド移動を案内するようになっている。
さらに、着脱側基板部１１ａの上方向Ｈuの長辺部１１ｄには、奥行方向Ｄの全長から表面１１Ａ側において幅方向Ｗに向かって漸次立ち上げられた傾斜面部（傾斜面）１１ｅが設けられている。傾斜面部１１ｅは、矩形板状に形成されている。また、傾斜面部１１ｅは、上方向Ｈuに行くに従って、着脱側基板部１１ａに対する突出寸法が漸次大きくなるように、下方向Ｈｄに配された本体側固定部１２に対して傾斜している。
【００３６】
傾斜面部１１ｅの上方向Ｈuの長辺部１１ｆには、奥行方向Ｄの全長から裏面１１Ｂ側において幅方向Ｗに水平に折り返された矩形板状の着脱側平坦面部（着脱側平坦面）１１ｈが設けられている。これら着脱側平坦面部１１ｈ及び傾斜面部１１ｅは、表面１１Ａ側において着脱側基板部１１ａに対して幅方向Ｗに向かって突出し長辺部１１ｆを頂点とする傾斜突起部１１ｇとなる。この傾斜突起部１１ｇは、側面視して三角形状に突出している。すなわち、着脱側平坦面部１１ｈ及び傾斜面部１１ｅの表面１１Ａは、長辺部１１ｆを挟んで高さ方向Ｈに対向して配されて傾斜突起部１１ｇの外壁部となる。
着脱側平坦面部１１ｈの長辺部１１ｊには、奥行方向Ｄの全長から上方向Ｈuに延びる矩形板状の取付板部（内底面）１１ｋが設けられている。取付板部１１ｋの表面１１Ａは、着脱側基板部１１ａの表面１１Ａと面一になっている。また、取付板部１１ｋの裏面１１Ｂは、着脱側基板部１１ａの裏面１１Ｂと面一になっている。
【００３７】
また、取付板部１１ｋの奥行方向Ｄの両端部には、一対の取付孔（貫通孔）１１ｍが形成されている。取付板部１１ｋの上方向Ｈuの長辺部１１ｎには、奥行方向Ｄの全長から表面１１Ａ側において幅方向Ｗに水平に折り返された着脱側天面部（着脱側天面）１１ｐが設けられている。着脱側天面部１１ｐは、矩形板状に形成されている。また、着脱側天面部１１ｐの幅方向Ｗにおける長さ寸法Ｗ１は、着脱側平坦面部１１ｈの幅方向Ｗにおける長さ寸法Ｗ２よりも大きくなっている。
これら着脱側平坦面部１１ｈ、取付板部１１ｋ及び着脱側天面部１１ｐの表面１１Ａは、長辺部１１ｆに対して幅方向Ｗに没入する矩形凹部１１ｑを構成するものである。矩形凹部１１ｑは、側面視して長辺部１１ｆに対して幅方向Ｗに矩形状に没入している。
【００３８】
本体側固定部１２は、幅方向Ｗ及び奥行方向Ｄに延在する取付板部（取り付け本体面）１２ａを備えている。取付板部１２ａの奥行方向Ｄの両端部には、幅方向Ｗに延びる一対の長孔１２ｂが形成されている。取付板部１２ａの長辺部１２ｃには、奥行方向Ｄの全長から上方向Ｈuに向かって延びる本体側基板部１２ｄが設けられている。本体側基板部１２ｄは、矩形板状に形成されている。この本体側基板部１２ｄの奥行方向Ｄの中央には、円形の取付孔１２ｅが形成されている。
さらに、本体側基板部１２ｄの上方向Ｈuの長辺部１２ｆには、奥行方向Ｄの全長から表面１２Ａ側において幅方向Ｗに向かって漸次立ち上げられた傾斜面部１２ｇが設けられている。傾斜面部１２ｇは、矩形板状に形成されている。この傾斜面部１２ｇは、上方向Ｈuに行くに従って本体側基板部１２ｄの裏面１２Ｂに対する没入寸法が漸次大きくなるように傾斜している。
【００３９】
傾斜面部１２ｇの上方向Ｈuの長辺部１２ｈには、奥行方向Ｄの全長から裏面１２Ｂ側において幅方向Ｗに水平に折り返された本体側平坦面部（本体側平坦面）１２ｊが設けられている。本体側平坦面部１２ｊは、矩形板状に形成されている。
これら本体側平坦面部１２ｊ及び傾斜面部１２ｇは、裏面１２Ｂ側において幅方向Ｗに向かって没入し長辺部１２ｈを最深部とする傾斜凹部（嵌合凹部）１２ｋとなる。この傾斜凹部１２ｋは、側面視して三角形状に没入している。すなわち、本体側平坦面部１２ｊ及び傾斜面部１２ｇの裏面１２Ｂは、長辺部１２ｈを挟んで高さ方向Ｈに対向して配されて傾斜凹部１２ｋの内壁部となる。この傾斜凹部１２ｋは、傾斜突起部１１ｇと相補形状をなしており、傾斜突起部１１ｇが嵌合されるようになっている。
【００４０】
本体側平坦面部１２ｊの長辺部１２ｍには、奥行方向Ｄの全長から上方向Ｈuに延びる矩形板状の嵌合板部（嵌合面）１２ｎが設けられている。
嵌合板部１２ｎの高さ方向Ｈにおける長さ寸法ｈ１は、本体側基板部１２ｄの高さ方向Ｈにおける長さ寸法ｈ２よりも小さくなっている。
また、嵌合板部１２ｎの表面１２Ａは、本体側基板部１２ｄの表面１２Ａと面一になっている。また、嵌合板部１２ｎの裏面１２Ｂは、本体側基板部１２ｄの裏面１１Ｂと面一になっている。
【００４１】
嵌合板部１２ｎの上方向Ｈuの長辺部１２ｐには、奥行方向Ｄの全長から表面１２Ａ側において幅方向Ｗに水平に折り返された矩形板状の本体側天面部（本体側天面）１２ｑが設けられている。
本体側天面部１２ｑは、本体側平坦面部１２ｊ及び取付板部１２ａに対して平行に延ばされている。
本体側天面部１２ｑの幅方向Ｗの先端隅部は、Ｒ状に切り欠かれた面取り部１２ｒとされている。また、本体側天面部１２ｑの幅方向Ｗにおける長さ寸法Ｗ３は、着脱側天面部１１ｐの幅方向Ｗにおける長さ寸法Ｗ１よりも大きくなっている。
これら本体側平坦面部１２ｊ、嵌合板部１２ｎ及び本体側天面部１２ｑの表面１２Ａは、長辺部１２ｈから裏面１２Ｂ側において幅方向Ｗに矩形状に突出する矩形凸部１２ｓを構成するものである。なお、矩形凸部１２ｓは、側面視して長辺部１２ｈに対して幅方向Ｗに矩形状に突出しており、矩形凹部１１ｑと相補形状をなして矩形凹部１１ｑに嵌合されるようになっている。
【００４２】
図６及び図７は、洋式便器３Ａが着脱固定具１０によって給水タンク２３に着脱可能に固定された様子を示す説明図である。
着脱側固定部１１は、洋式便器３Ａの幅方向Ｗの両側部に対をなして取り付けられている。すなわち、一対の取付孔１１ｍ（図５に示す）に不図示のネジを通して当該ネジを締めることにより、着脱側固定部１１が洋式便器３Ａに取り付けられている。
また、本体側固定部１２は、幅方向Ｗの両端の側部２３ａの上面２３１ａに対をなして取り付けられている。すなわち、一対の長孔１２ｂ（図５に示す）にネジＮを通して、ネジ穴２３１ｃに締めることにより、本体側固定部１２が給水タンク２３に取り付けられている。
なお、ネジ穴２３１ｃは、上面２３１ａを貫通しておらず、有底の没入穴となっている。このため、水漏れや臭気などが防止されるようになっている。
【００４３】
また、着脱側固定部１１は、洋式便器３Ａの側方部（側部）３１Ａのうち、上方側に取り付けられている。すなわち、着脱側固定部１１は、側方部３１Ａのうち、洋式便器３Ａの重心よりも上方において、給水タンク２３に固定されている。
これにより、負荷のかかる洋式便器３Ａを安定的に固定することができる。つまり、洋式便器３Ａには、利用者が腰を降ろすことにより特に負荷がかかるが、重心よりも上方において洋式便器３Ａが固定されることにより、利用者が腰を降ろしても安定させることができる。
【００４４】
また、洋式便器３Ａの下端３２Ａは、固定されておらず解放されている。すなわち、洋式便器３Ａの不図示の排出口がフラッパー２１３ｅに一致して下端３２Ａが解放された状態で、洋式便器３Ａが固定されている。
これにより、排出口をフラッパー２１３ｅに合わせるだけで、洋式便器３Ａの位置決めを容易に行うことができる。また、下端３２Ａが解放されていることから、利用者の利用時などにおいて洋式便器３Ａの揺れを許容することができ、耐久性を向上させることができる。
また、洋式便器３Ａの上方の幅寸法ａ１は、下方の幅寸法ａ２よりも大きくなっている。そのため、洋式便器３Ａの下方において、幅方向Ｗにおける側方部３１Ａと側部２３ａとの間に、クリアランスＣ１が設けられている。これにより、下端３２Ａの幅方向Ｗにおける揺れを許容することができ、耐久性を向上させることができる。
なお、図１２から図１７及び図１９は、着脱固定具１０の外観（意匠）を示したものであり、着脱側固定部１１と本体側固定部１２とが連結された様子を示したものである。
また、図１８は、図１２のＥ−Ｅ線断面を示したものである。
また、図２０から図２５は、着脱側固定部１１の外観（意匠）を示したものである。
また、図２６は、図２０のＡ−Ａ線断面を示したものであり、図２７は、図２０のＢ−Ｂ線断面を示したものである。
また、図２８から図３３は、本体側固定部１２の外観（意匠）を示したものである。
また、図３４は、図２８のＣ−Ｃ線断面を示したものであり、図３５は、図３１のＤ−Ｄ線断面を示したものである。
【００４５】
次いで、仮設トイレ１及び着脱固定具１０の利用方法について説明する。
図３に示すように、仮設トイレ１は、洋式便器３Ａ又は小便器３Ｂを択一的に選択し、仮設トイレ本体部２に着脱可能に固定するようになっている。そして、例えば仮設トイレ本体部２に固定された洋式便器３Ａを取り外して、代わりに小便器３Ｂを固定したり、または、仮設トイレ本体部２に固定された小便器３Ｂを取り外して、代わりに洋式便器３Ａを固定することができる。
【００４６】
ここでは、例えば洋式便器３Ａを仮設トイレ本体部２に固定する方法について説明する。
設置スペースには、なにも設置されていないものとする。
まず、作業者が洋式便器３Ａを持ち上げて、洋式便器３Ａの排出口とフラッパー２１３ｅとが高さ方向Ｈに対向する位置に配する。このとき、図８に示すように、着脱側固定部１１が上方に配され、本体側固定部１２が下方に配されて、これら着脱側固定部１１と本体側固定部１２とが高さ方向Ｈに対向して配される。
そして、作業者が洋式便器３Ａを下方向Ｈｄに降ろしていく。これにより、着脱側固定部１１が本体側固定部１２に対して接近する方向に移動していく。
【００４７】
そして、あるタイミングで、一対の案内壁部１１ｂの間に、本体側固定部１２が入り込んでいく。このとき、案内壁部１１ｂの間の長さ寸法ｄ１は、本体側固定部１２の長さ寸法ｄ２とほぼ同一になっていることから、案内壁部１１ｂが、本体側固定部１２の上方向Ｈｕへの相対移動を案内していく。すなわち、着脱側固定部１１及び洋式便器３Ａが、奥行方向Ｄに外れていくことなく、下方向Ｈｄにまっすぐスライドして降りていく。
さらに、あるタイミングで、傾斜面部１１ｅが、本体側天面部１２ｑに当接する。そのまま、着脱側固定部１１が下方向Ｈｄに降りていくと、図９に示すように、傾斜面部１１ｅに案内されて、本体側固定部１２の上方側が、表面１２Ａ側において幅方向Ｗに持ち上げられていく。すなわち、本体側基板部１２ｄが幅方向Ｗに弾性変形して、本体側固定部１２の上方側が、表面１２Ａ側において幅方向Ｗに配されていく。このとき、嵌合板部１２ｎの長さ寸法ｈ１は、本体側基板部１２ｄの長さ寸法ｈ２よりも小さくなっていることから、本体側基板部１２ｄがより容易に弾性変形していく。
【００４８】
さらに、着脱側固定部１１を下方向Ｈｄに降ろしていくと、長辺部１１ｆが長辺部１２ｍを下方向Ｈｄに通り過ぎる。これにより、弾性変形された本体側基板部１２ｄの復元力により、本体側固定部１２の上方側が、裏面１２Ｂ側において幅方向Ｗに戻される。そして、図７に示すように、傾斜凹部１２ｋに傾斜突起部１１ｇが嵌合され、矩形凸部１２ｓが矩形凹部１１ｑに嵌合する。このとき、本体側天面部１２ｑの長さ寸法Ｗ３が、着脱側天面部１１ｐの長さ寸法Ｗ１よりも大きくなっていることから、本体側天面部１２ｑが着脱側天面部１１ｐに対して幅方向Ｗに突出する。
これにより、着脱側固定部１１と本体側固定部１２とが固定される。そして、もう一方側の着脱側固定部１１と本体側固定部１２とを同様に固定することにより、図２に示すように、洋式便器３Ａが給水タンク２３に着脱可能に固定される。
【００４９】
なお、このとき、設置状況が良くないときには、取付孔１２ｅと取付孔１１ｃとにわたって不図示のボルトを通して、裏面１１Ｂ，１２Ｂ側でナットＦに締めることにより、着脱側固定部１１と本体側固定部１２とを強固に固定してもよい。もちろん、これらボルトとナットＦを利用しなくても、着脱側固定部１１と本体側固定部１２とは固定可能であることは言うまでもない。
また、洋式便器３Ａの排出口は、フラッパー２１３ｅに一致して配され、洋式便器３Ａの下端３２Ａは解放された状態になっている。
【００５０】
次いで、固定された洋式便器３Ａを取り外す場合について説明する。
まず、ボルトとナットＦを締めていた場合には、これらボルトとナットＦを外す。もちろん、ボルトとナットＦを締めていなかった場合には、この作業は不要となる。
そして、着脱側天面部１１ｐに対して幅方向Ｗに突出している本体側天面部１２ｑの先端を作業者が手で下方向Ｈｄに押す。このとき、面取り部１２ｒが形成されていることから、作業者が力を入れて押し易くなる。
作業者が本体側天面部１２ｑの先端を下方向Ｈｄに押すと、図１０に示すように、回転モーメントにより、本体側固定部１２の上方側が、表面１２Ａ側における幅方向Ｗに配されていく。すなわち、本体側基板部１２ｄが弾性変形して、本体側固定部１２の上方側が、着脱側固定部１１に対して幅方向Ｗに離れていく。
そのため、傾斜突起部１１ｇが傾斜凹部１２ｋから外れ、矩形凸部１２ｓが矩形凹部１１ｑから順に外れていく。
【００５１】
これにより、着脱側固定部１１が本体側固定部１２に対して解放される。そして、もう一方の着脱側固定部１１を本体側固定部１２に対して解放すると、作業者が、洋式便器３Ａを上方向Ｈｕに持ち上げて行く。このときも、本体側固定部１２が案内壁部１１ｂに案内されるため、着脱側固定部１１と本体側固定部１２との奥行方向Ｄにおける相対移動が規制され、洋式便器３Ａを取り外しやすくなる。
これによって、着脱側固定部１１が本体側固定部１２に対して上方向Ｈｕに離隔していき、洋式便器３Ａが仮設トイレ本体部２から取り外される。
そして、小便器３Ｂを取り付ける場合には、作業者が小便器３Ｂを持って、上記と同様にして、同じ場所に小便器３Ｂを給水タンク２３に固定する。そして、図１１に示すように、給水タンク２３から延ばされた給水ホース２３ｄを、小便器３Ｂの背面の吸水口３１Ｂに取り付ける。
これにより、図４に示すように、洋式便器３Ａに代えて、同じ場所に、小便器３Ｂが固定される。
【００５２】
以上より、本実施形態における仮設トイレ１及び着脱固定具１０によれば、着脱側固定部１１を本体側固定部１２に対して下方向Ｈｄにスライドさせるだけで、傾斜面部１１ｅが本体側固定部１２の上方側を幅方向Ｗの表面１２Ａ側に持ち上げることから、傾斜突起部１１ｇと傾斜凹部１２ｋとを容易に嵌合させることができる。
そのため、着脱固定具１０を下方向Ｈｄにスライドさせるという簡易な動作だけで、着脱側固定部１１と本体側固定部１２とを容易に固定することができ、洋式便器３Ａ及び小便器３Ｂを仮設トイレ本体部２に容易に固定することができる。
一方、傾斜突起部１１ｇと傾斜凹部１２ｋとの嵌合を外すだけで、着脱側固定部１１と本体側固定部１２との固定を容易に解除することができ、洋式便器３Ａ及び小便器３Ｂを仮設トイレ本体部２から容易に取り外すことができる。
そのため、洋式便器３Ａ及び小便器３Ｂと仮設トイレ本体部２とを迅速かつ容易に付け替えることができる。
【００５３】
また、傾斜突起部１１ｇの外壁面が着脱側平坦面部１１ｈとされ、傾斜凹部１２ｋの内壁面が本体側平坦面部１２ｊとされていることから、傾斜突起部１１ｇと傾斜凹部１２ｋとが嵌合されたとき、両平坦面部１１ｈ，１２ｊを水平方向に面接触させることができ、傾斜突起部１１ｇと傾斜凹部１２ｋとの嵌合を保持することができる。そのため、洋式便器３Ａ及び小便器３Ｂが仮設トイレ本体部２から振動や衝撃などによって取り外れないようにすることができる。
また、傾斜突起部１１ｇ及び傾斜凹部１２ｋが、側面視して三角形状に形成されていることから、傾斜突起部１１ｇと傾斜凹部１２ｋとを容易に嵌合させることができる。
また、矩形凹部１１ｑが矩形凸部１２ｓに嵌合されるようになっていることから、着脱側固定部１１を本体側固定部１２に対して強く固定することができる。さらに、これら矩形凹部１１ｑと矩形凸部１２ｓとの嵌合を外すだけで、着脱側固定部１１と本体側固定部１２との固定を容易に解除することができる。そのため、洋式便器３Ａを仮設トイレ本体部２に容易に着脱することができる。
また、矩形凹部１１ｑと矩形凸部１２ｓとが側面視して矩形状に形成されていることから、側面視して三角形状の傾斜突起部１１ｇ及び傾斜凹部１２ｋの嵌合と合わせることにより、いろんな方向からの振動や衝撃から固定力をさらに上げることができる。
【００５４】
また、矩形凹部１１ｑと矩形凸部１２ｓとが嵌合されたとき、着脱側天面部１１ｐと本体側天面部１２ｑとを水平方向に面接触させることができ、矩形凹部１１ｑと矩形凸部１２ｓとの嵌合を保持することができる。さらに、取付板部１１ｋと嵌合板部１２ｎとが、高さ方向Ｈに延ばされていることから、着脱側固定部１１からの高さ方向Ｈの負荷を支持することができる。
また、本体側天面部１２ｑの幅方向Ｗにおける長さ寸法Ｗ３が、着脱側天面部１１ｐの幅方向Ｗにおける長さ寸法Ｗ１よりも大きくなっていることから、矩形凹部１１ｑと矩形凸部１２ｓとが嵌合されたとき、本体側天面部１２ｑを着脱側天面部１１ｐに対して幅方向Ｗに突出させることができる。そのため、本体側天面部１２ｑの幅方向Ｗにおける先端部を手で下方向Ｈｄに押すだけで、本体側基板部１２ｄを弾性変形させて、矩形凹部１１ｑと矩形凸部１２ｓとの嵌合を容易に解除することができる。
【００５５】
また、取付板部１１ｋに形成された取付孔１１ｍを介して、ネジにより着脱側固定部１１を洋式便器３Ａ又は小便器３Ｂに容易に取り付けることができる。
また、案内壁部１１ｂが設けられていることから、着脱側固定部１１と本体側固定部１２との固定と解除の際に、高さ方向Ｈにおける互いのスライド移動を案内することができ、洋式便器３Ａ及び小便器３Ｂと仮設トイレ本体部２とを迅速かつ容易に付け替えることができる。
また、取付板部１２ａに形成された長孔１２ｂを介して、ネジにより本体側固定部１２を給水タンク２３に容易に取り付けることができる。さらに、長孔１２ｂが幅方向Ｗに延ばされていることから、着脱固定具１０の製造のバラツキや変形などに応じて、本体側固定部１２の取り付け位置を調整することができる。
【００５６】
また、着脱側天面部１１ｐの幅方向Ｗにおける長さ寸法Ｗ１が、着脱側平坦面部１１ｈの幅方向Ｗにおける長さ寸法Ｗ２よりも大きくなっていることから、固定時には、着脱側天面部１１ｐによって矩形凹部１１ｑと矩形凸部１２ｓとの嵌合を最上方において確実に保持するとともに、取り外し時には、傾斜凹部１２ｋと傾斜突起部１１ｇとの嵌合を容易に外すことができる。
また、着脱側基板部１１ａと取付板部１１ｋとが面一になっていることから、着脱側固定部１１の製造を容易にすることができるだけでなく、保管スペースなどを小さくすることができる。同様に、本体側基板部１２ｄと嵌合板部１２ｎとが面一になっていることから、本体側固定部１２の製造を容易にすることができるだけでなく、保管スペースなどを小さくすることができる。さらに、着脱側基板部１１ａと取付板部１１ｋとが面一になっており、かつ、本体側基板部１２ｄと嵌合板部１２ｎとが面一になっていることから、着脱側固定部１１と本体側固定部１２との固定・解除を最小限の動作で容易に行うことができる。
【００５７】
また、傾斜凹部１２ｋ及び矩形凸部１２ｓが本体側固定部１２の上方に設けられていることから、着脱側固定部１１からの負荷を受けても、本体側基板部１２ｄなどが弾性変形することにより、揺れや振動を許容することができる。
また、嵌合板部１２ｎの長さ寸法ｈ１が、本体側基板部１２ｄの長さ寸法ｈ２よりも小さくなっていることから、本体側基板部１２ｄを容易に弾性変形させることができ、着脱側固定部１１と本体側固定部１２との着脱を容易にすることができる。
【００５８】
なお、本考案の技術範囲は上記の実施形態に限定されるものではなく、本考案の趣旨を逸脱しない範囲において、種々の変更を加えることが可能である。
例えば、仮設トイレ本体部２に固定される便器を洋式便器３Ａ及び小便器３Ｂとしたが、これに限ることはなく、適宜変更可能である。具体的には、和式便器であってもよい。さらに、便器でなくても、手洗器などであってもよい。
また、着脱固定具１０が金属からなるものとしたが、これに限ることはなく、適宜変更可能である。例えば、樹脂などであってもよい。
また、洋式便器３Ａ及び小便器３Ｂを仮設トイレ本体部２に対して、上下方向にスライドさせ着脱させるとしたが、これに限ることはなく、スライド方向は適宜変更可能である。例えば、奥行方向Ｄや幅方向Ｗであってもよいし、斜め方向にスライドさせてもよい。
【００５９】
また、傾斜突起部１１ｇの外壁面を着脱側平坦面部１１ｈとしたが、これに限ることはなく、その形状は適宜変更可能である。例えば、長辺部１１ｆから上方向Ｈｕに向かって傾斜していてもよい。
また、傾斜凹部１２ｋの内壁面を本体側平坦面部１２ｊとしたが、これに限ることはなく、その形状は適宜変更可能である。例えば、長辺部１２ｈから上方向Ｈｕに向かって傾斜していてもよい。
また、傾斜突起部１１ｇ及び傾斜凹部１２ｋが側面視して三角形状に形成されているとしたが、これに限ることはなく、その形状は適宜変更可能である。例えば、側面視して矩形状や半球状であってもよい。さらに、これら傾斜突起部１１ｇ及び傾斜凹部１２ｋを設けなくてもよい。
また、矩形凹部１１ｑ及び矩形凸部１２ｓが設けられるとしたが、これに限ることはなく、その形状は適宜変更可能である。例えば、側面視して三角形状や半球状であってもよい。
【００６０】
また、本体側天面部１２ｑの長さ寸法Ｗ３が、着脱側天面部１１ｐの長さ寸法Ｗ１より長くなっているとしたが、これに限ることはなく、その長さは適宜変更可能である。例えば、長さ寸法Ｗ１，Ｗ３を同一にしてもよいし、長さ寸法Ｗ３より長さ寸法Ｗ１の方が長くてもよい。
また、取付板部１１ｋに取付孔１１ｍが形成され、これら取付孔１１ｍを介して着脱側固定部１１が洋式便器３Ａに取り付けられるとしたが、これに限ることはなく、取付位置は適宜変更可能である。
また、案内壁部１１ｂが一対設けられるとしたが、これに限ることはなく、複数対設けてもよいし、案内壁部１１ｂを設けなくてもよい。
また、取付板部１２ａに長孔１２ｂが形成され、これら長孔１２ｂを介して本体側固定部１２が給水タンク２３に取り付けられるとしたが、これに限ることはなく、取付位置は適宜変更可能である。また、長孔１２ｂが形成されるとしたが、その形状は適宜変更可能である。例えば、円形の取付孔であってもよい。円形の取付孔の場合でも、本体側固定部１２を仮設トイレ本体部２に容易に取り付けることができる。
また、傾斜突起部１１ｇ、傾斜凹部１２ｋ、矩形凹部１１ｑ及び矩形凸部１２ｓを幅方向Ｗに突出又は没入させるとしたが、これに限ることはなく、それら突出又は没入の方向は適宜変更可能である。例えば、奥行方向Ｄなど高さ方向Ｈに交差する他の方向にしてもよい。
【符号の説明】
【００６１】
１  仮設トイレ
２  仮設トイレ本体部
３Ａ  洋式便器（便器部）
３Ｂ  小便器（便器部）
１０  着脱固定具
１１  着脱側固定部
１１ｂ  案内壁部
１１ｅ  傾斜面部（傾斜面）
１１ｈ  着脱側平坦面部（着脱側平坦面）
１１ｇ  傾斜突起部
１１ｋ  取付板部（内底面）
１１ｍ  取付孔（貫通孔）
１１ｐ  着脱側天面部（着脱側天面）
１１ｑ  矩形凹部
１２  本体側固定部
１２ａ  取付板部（取り付け本体面）
１２ｂ  長孔
１２ｊ  本体側平坦面部（本体側平坦面）
１２ｋ  傾斜凹部（嵌合凹部）
１２ｎ  嵌合板部（嵌合面）
１２ｑ  本体側天面部（本体側天面）
１２ｓ  矩形凸部
２３  給水タンク
２３１ａ，２３１ｂ  上面
３１Ａ  側方部（側部）
Ｈｄ  下方向（一方向）
Ｗ  幅方向（交差する方向）
Ｗ１，Ｗ３  長さ寸法
【図１】
0003196485.tif 000003
【図２】
0003196485.tif 000004
【図３】
0003196485.tif 000005
【図４】
0003196485.tif 000006
【図５】
0003196485.tif 000007
【図６】
0003196485.tif 000008
【図７】
0003196485.tif 000009
【図８】
0003196485.tif 000010
【図９】
0003196485.tif 000011
【図１０】
0003196485.tif 000012
【図１１】
0003196485.tif 000013
【図１２】
0003196485.tif 000014
【図１３】
0003196485.tif 000015
【図１４】
0003196485.tif 000016
【図１５】
0003196485.tif 000017
【図１６】
0003196485.tif 000018
【図１７】
0003196485.tif 000019
【図１８】
0003196485.tif 000020
【図１９】
0003196485.tif 000021
【図２０】
0003196485.tif 000022
【図２１】
0003196485.tif 000023
【図２２】
0003196485.tif 000024
【図２３】
0003196485.tif 000025
【図２４】
0003196485.tif 000026
【図２５】
0003196485.tif 000027
【図２６】
0003196485.tif 000028
【図２７】
0003196485.tif 000029
【図２８】
0003196485.tif 000030
【図２９】
0003196485.tif 000031
【図３０】
0003196485.tif 000032
【図３１】
0003196485.tif 000033
【図３２】
0003196485.tif 000034
【図３３】
0003196485.tif 000035
【図３４】
0003196485.tif 000036
【図３５】
0003196485.tif 000037